(57)【要約】【課題】簡易な構造により使い勝手を高めた棚装置の提供を目的とする。【解決手段】支柱１に棚板２を固定する棚装置であって、  前記棚板２の一端部には支柱１が貫通状に挿通する支柱挿通部３が開設されるとともに、他端部への荷重付加による前記支柱挿通部３周りの支柱１との圧接位置に摩擦体４を配置して棚装置を構成する。  また、前記棚板２は、支柱１を他端部側から受け止める支柱受け部５を備えた棚板本体６と、該棚板本体６の一端部側にネジ止めされて支柱１に一端部側から圧接する押さえ片７とを有して構成することが可能である。【選択図】図１
2017195930.tif 000002
【特許請求の範囲】
【請求項１】
支柱に棚板を固定する棚装置であって、
前記棚板の一端部には支柱が貫通状に挿通する支柱挿通部が開設されるとともに、他端部への荷重付加による前記支柱挿通部周りの支柱との圧接位置に摩擦体を配置した棚装置。
【請求項２】
前記棚板は、支柱を他端部側から受け止める支柱受け部を備えた棚板本体と、該棚板本体の一端部側にネジ止めされて支柱に一端部側から圧接する押さえ片とを有する請求項１記載の棚装置。
【請求項３】
前記支柱は、棚板の張り出し方向に幅広の板状に形成され、
前記支柱挿通部には、支柱の幅広面に当接する当接部が形成される請求項１または２記載の棚装置。
【請求項４】
前記棚板が支柱の上下方向不特定位置に位置変更自在である請求項１ないし３のいずれかに記載の棚装置。
【請求項５】
前記摩擦体が布ヤスリである請求項１ないし４のいずれかに記載の棚装置。
【発明の詳細な説明】
【技術分野】
【０００１】
本発明は棚装置に関するものである。
【背景技術】
【０００２】
支柱に棚板を固定する棚装置としては、従来、特許文献１に記載されたものが知られている。この従来例において、中空状の金属製支柱には、長さ方向に連続するスリット状の開口部が形成されるとともに、係止用切欠部が長さ方向に所定間隔おきに設けられる。上記支柱の内部には、雌ねじ片が上下方向スライド自在に装入され、この雌ねじ片は、上記係止用切欠部に係止する係止部により支柱の長さ方向に位置決めされる。
【０００３】
一方、棚板は、浅い箱状をなし、その四隅部には欠落部が形成されるとともに、隅部周壁部には貫通孔が形成される。上記棚板の四隅部の周壁部内側には、略Ｌ字状に形成され、上記貫通孔を貫通可能な係止突片が外面に突設されたコーナー止着片が配置される。
【０００４】
棚板の支柱への固定は、開口部や欠落部を通る止めねじにより雌ねじ片とコーナー止着片とを締結し、これらの間で支柱と棚板を挟着してなされる。固定状態において、係止突片は貫通孔を貫通して支柱の両側面に当接し、係止突部が貫通孔に通されていることで棚板にコーナー止着片が位置決めされ、また、雌ねじ片を介して支柱が開き方向に変形しようとするのを係止突片により防ぐ。
【先行技術文献】
【特許文献】
【０００５】
【特許文献１】特開２００８-３６１１７号公報
【発明の概要】
【発明が解決しようとする課題】
【０００６】
しかしながら、上述した従来例は、構造が複雑で、使い勝手が悪いという欠点がある。
【０００７】
本発明は以上の欠点を解消すべくなされたものであって、簡易な構造により使い勝手を高めた棚装置の提供を目的とする。
【課題を解決するための手段】
【０００８】
本発明によれば、上記目的は、
支柱１に棚板２を固定する棚装置であって、
前記棚板２の一端部には支柱１が貫通状に挿通する支柱挿通部３が開設されるとともに、他端部への荷重付加による前記支柱挿通部３周りの支柱１との圧接位置に摩擦体４を配置した棚装置を提供することにより達成される。
【０００９】
本発明によれば、棚板２の一端部に支柱１が貫通状に挿通する支柱挿通部３が開設されるとともに、棚板２の他端部への荷重付加による支柱挿通部３周りの支柱１との圧接位置に摩擦体４が配置される。棚板２上への載置物による荷重は、棚板２に支柱１との接触箇所を中心とする回転方向の力として作用し、この力により支柱挿通部３と支柱１とが圧接する部位に摩擦体４が配置されることにより、支柱挿通部３と支柱１との圧接力が摩擦体４の摩擦力を高める垂直抗力として機能し、高い摩擦力によって棚板２を支柱１に対して強固に固定することができる。
【００１０】
すなわち、図３に原理を示すように、棚板２の先端側に載置物の荷重Ｗが付加されると、棚板２には、支柱１との連結箇所である基端側を支点とする前下がりの回転方向の力が作用する。この回転方向の力により、支柱１前面の支柱挿通部３下端との接触箇所Ａと、支柱１背面の支柱挿通部３上端との接触箇所Ｂには、それぞれ前上がり、および後ろ下がりの反力Ｒが発生し、その水平方向の成分Ｎが、接触箇所Ａ、Ｂの少なくともいずれか一方に配置された摩擦体４の摩擦抵抗に対して垂直抗力として機能することにより、接触箇所Ａ（Ｂ）における摩擦抵抗を増大させ、この摩擦力により棚板２が支柱１の所定位置に固定される。
【００１１】
したがって本発明によれば、上述した従来例のように支柱１と棚板２の双方に固定のための特段の構造を設ける必要が無く、棚装置の構造を極めて簡易にすることができ、使い勝手を格段に向上することができる。
【００１２】
上記摩擦体４としては、例えば、ゴムのほか、小さな面積による摩擦抵抗の発揮も容易な研磨布紙を用いることが可能である。この場合において、布ヤスリ、すなわち基材の強度が比較的高く、研磨材、すなわち微細な粒子が散点状に配置されたものを用いた場合には、剥離や引き裂きによる棚板２からの脱落等を良好に防止できるし、支柱１の材質が木材等であるときには食い込むような状態となって極めて相対移動しにくくできる。
【００１３】
上記棚板２は、例えば、一端部に支柱挿通部３としての貫通孔を設けた板状に形成することが可能である。この場合において、支柱１を他端部側から受け止める支柱受け部５を備えた棚板本体６と、該棚板本体６の一端部側にネジ止めされて支柱１に一端部側から圧接する押さえ片７とを有して棚板２を構成した場合には、支柱挿通部３の支柱１との接触状態を密に確保することができ、載置物の荷重によって棚板２が傾斜してしまうのを良好に防止することができる。
【００１４】
また、上記支柱挿通部３は、透孔以外にも、少なくとも棚板２の支柱１からの張り出し前後方向に当接部分を備えていれば足りる。この場合において、支柱１を棚板２の張り出し方向に幅広の板状に形成し、上記支柱挿通部３には、支柱１の幅広面８に当接する当接部９を形成しておけば、棚板２が幅方向に傾斜したり、がたつくのを防止することが可能になる。上述のように支柱受け部５を設ける場合には、この支柱受け部５を例えばコ字状形成すれば、当接部９を確保することが可能である。
【００１５】
以上の棚板２は、支柱１の上下方向不特定位置に位置変更自在にすることが可能であり、これにより使い勝手を非常に高めることができる。すなわち、本願発明によれば、上述の従来例のように棚板２を受けるための特段の構造を支柱１側に要しないために、支柱１の外観を良好に維持することができ、このような装飾的機能と棚板２の高さ調節機能とが相まってさらに使い勝手が向上する。
【００１６】
以上の棚装置は、支柱１が単一でも、複数でも足りる。この場合において、単一の棚板２を複数の支柱１によって支持した場合には、支持強度を高めることができる上に、上述した棚板２の幅方向の支持等もより強固にしやすくなる。
【発明の効果】
【００１７】
以上の説明から明らかなように、本発明によれば、簡易な構造の棚装置を提供することができ、このような棚装置を利用して収納機能をより簡単に高めることができる。
【図面の簡単な説明】
【００１８】
【図１】本発明に係る棚装置の第１の実施の形態を示す図で、（ａ）は正面図、（ｂ）は右側面図である。
【図２】棚装置を示す図で、図１（ａ）の２Ａ-２Ａ線断面図である。
【図３】棚板の支持原理を説明する図である。
【図４】棚装置を示す図で、図１（ａ）の４Ａ-４Ａ線断面図である。
【図５】棚板の構造を説明する分解斜視図である。
【図６】第１の変形例を示す図で、図２に対応する図である。
【図７】第２の変形例を示す図で、（ａ）は棚装置の正面図、（ｂ）は設置状態を説明する要部拡大図である。
【図８】本発明に係る棚装置の第２の実施の形態を示す図で、（ａ）は正面図、（ｂ）は（ａ）の８Ｂ-８Ｂ線断面図、（ｃ）は（ａ）の８Ｃ-８Ｃ線断面図である。
【発明を実施するための形態】
【００１９】
図１ないし図５に本発明の第１の実施の形態を示す。この実施の形態において、棚装置は、図１および図２に示すように、図示省略の床面等の適宜の設置基部上に立設される支柱１と、該支柱１により設置基部上の所定高さ位置に支持されて上面に物品を載置可能な棚板２とを有する。
【００２０】
上記支柱１は、木材等の適宜の強度を備えた材料により細長い板状に形成され、また、立設状態を安定させるために下端には面積のより広い土台部２１が設けられる。さらに、この実施の形態において棚装置は、２本の支柱１、１を備え、これらが幅広面８、８同士を向き合わせた姿勢で所定間隔隔てて配置される。この２本の支柱１、１は、共通の土台部２１の周縁部上に並設され、土台部２１によって下部における間隔が保持され、また、上端部に架設される補強部材２２により上部における間隔が保持される。
【００２１】
上記棚板２は、支柱１同様木材等の適宜の強度を備えた材料により板状に形成され、支柱１に支持される基端部には支柱挿通部３が設けられる。この棚板２は、物品を載置するための棚板本体６と、この棚板本体６と協働して支柱挿通部３を形成する押さえ片７とを有する。
【００２２】
上記棚板本体６は、物品の載置面を提供する略矩形の板状からなる棚板部２３と、この棚板部２３の基端部に形成されて上述した押さえ片７とともに支柱挿通部３を構成する支柱受け部５とを有する。上記支柱受け部５は、棚板部２３の基端縁をコ字状に切り欠いて形成される切り欠き２４の一対を有し、各切り欠き２４の幅寸法は支柱１の厚さ寸法よりもやや広くされ、また、その奥行き寸法は、支柱１の幅寸法の半分程度にされる。この切り欠き２４の一対は、上述した２本の支柱１の配置間隔と同じ間隔に配置される。
【００２３】
さらに、上記棚板部２３の裏面には、図２および図５に示すように、支柱受け部５の厚さ寸法をより大きくするための延長部材２５が固定される。この延長部材２５は、切り欠き２４の側縁の厚さ寸法を大きくするための側縁延長部材２５ａと、先端縁の厚さ寸法を大きくするための先端縁延長部材２５ｂとからなる。
【００２４】
上記側縁延長部材２５ａは、各切り欠き２４の内側の側縁に沿って配置される矩形断面の棒状体の一対からなり、切り欠き２４の奥行き寸法と同じ程度の長さを備える。一方、上記先端縁延長部材２５ｂは、一対の切欠の先端縁に沿って配置される矩形断面の単一の棒状体からなり、その長さ寸法は、支柱受け部５の幅寸法よりもやや長尺に形成される。これにより支柱受け部５には、各切り欠き２４の外側の側縁において棚板部２３の厚さに応じた面積で当接可能で、また、各切り欠き２４の内側の側縁および先端縁においては、棚板部２３の厚さに棒状体の厚さを加えたより長い範囲で支柱１に当接可能な当接部９が形成される。
【００２５】
さらに、棚板２の支柱１による支持状態を強固に確保するために、上述の先端縁延長部材２５ｂの外周面には、研磨面を外方に向けて布ヤスリ（摩擦体４）が固定される。この布ヤスリ４は、例えば接着力の高い接着剤や止着子を利用することにより、その固定強度が高められる。
【００２６】
上記押さえ片７は、矩形断面の棒状に形成され、その長さは支柱受け部５の幅寸法、すなわち一対の切り欠き２４、２４の開放端を塞ぐことが可能な幅寸法に形成される。また、その厚さ寸法は、上述した当接面９における切り欠き２４の先端縁部分と同じ程度、言い換えれば棚板部２３と棒状体の厚さを合算した程度にされる。
【００２７】
さらに、以上の押さえ片７と連結するために、上述の棚板部２３には連結部２６が形成される。この連結部２６は、切り欠き２４、２４間を基端部側に延長して形成され、その全長は支柱１の幅寸法よりもやや短い程度にされる。
【００２８】
また、上記連結部２６の先端面には、連結具２７としてのナットが埋め込まれる。この実施の形態において、上記ナット２７には、外周面にネジ山が形成されてねじ込み操作により埋め込み可能な固定強度に優れたもの、具体的にはねじ込み式の鬼目ナット（商標登録第１００１０６５号）が使用され、また、連結強度を高めるために、連結部２６には以上のナット２７の複数が埋め込まれる。
【００２９】
したがって棚板部２３と押さえ片７とは、図４に示すように、押さえ片７を貫通してネジ２８を連結部２６のナット２７に螺入させることにより連結することができ、また、このネジ２８を外すことにより、分離することができる。さらに、連結状態において切り欠き２４の開放方向に押さえ片７が位置することにより、切り欠き２４と押さえ片７とによって支柱１を四方から拘束可能な支柱挿通部３が形成される。
【００３０】
以上の棚板２を使用するに際しては、先ず、棚板２を支柱１、１の前方において所望の高さに位置合わせした上、後方に移動させて切り欠き２４、２４内に支柱１、１を挿入させ、次いで、押さえ片７を支柱１、１背面に跨がるように合わせたら、最後に、後方から押さえ片７を貫通してネジ２８をナット２７に螺入させることにより完了する。
【００３１】
組み立て完了状態において、支柱１は支柱挿通部３内に位置し、切り欠き２４の先端縁と押さえ片７とにより前後方向から挟持され、また、切り欠き２４の両側縁により横方向から挟まれた状態になるために、これにより棚板２は水平姿勢を良好に保つことができる。また、上述のように連結部２６の長さが支柱１の幅寸法よりもやや短い程度にされることにより、ネジ２８の締結によって支柱１を前後方向に強く挟持することができ、さらに、棚板部２３に先端縁延長部材２５ｂを固定して支柱受け部５の先端側の当接面積が広くされる上に、押さえ片７の厚さ寸法も大きくされることから、棚板２は前後方向に強固に水平姿勢を保持できる。加えて、一対の切り欠き２４の内側に位置する一対の側縁において、側縁延長部材２５ａ、２５ａにより左右方向の当接面の面積も広くされるために、棚板２は横方向においてもしっかりと水平姿勢を保持される。
【００３２】
さらにこの後、図示省略の物品を棚板２の上面に載置すると、その荷重により布ヤスリ４が支柱１に圧接し、その高い摩擦力により棚板２の下方への移動が規制される。これにより棚板２は、物品を所定高さ位置に良好に支持することができる。また、上述のように先端縁延長部材２５ｂにより支柱受け部５の先端側の当接面が上下方向に長くされ、また、押さえ片７の厚さ寸法も大きいことにより、棚板２に物品を載せたときの布ヤスリ４の支柱１への圧接力もより高く確保しやすくなる。
【００３３】
なお、以上の実施の形態においては、側縁延長部材２５ａ、２５ａを一対の切り欠き２４、２４の内側の側縁に沿って配置することにより、側面視において支柱１により隠して外観が良好になるようにしているが、図６に示すように側縁延長部材２５ａ、２５ａを一対の切り欠き２４、２４の外側の側縁に沿って配置することも可能である。この場合には、支柱１と棚板２とは、その接触面積がより横方向の外側において広く確保されるために、横方向のぐらつきをさらに強固に防止することができる。
【００３４】
図７に本発明の変形例を示す。なお、変形例および他の実施の形態の説明において、上述した実施の形態と同一の要素は図中に同一の符号を付して説明を省略する。この変形例においては、支柱１が伸縮自在に形成されるとともに、支柱１の上端には設置天井面への固定手段２９が設けられる。上記支柱１は、図７（ａ）に示すように、この実施の形態においては伸縮機能をテレスコープ近似の構造により実現しており、上下２段の支柱構成材１ａ、１ｂのうち下段側の支柱構成材１ｂの長さを短くすることにより、この支柱構成材１ｂの長さ範囲において棚板２が上下方向に無段階で位置調整可能にされる。
【００３５】
上記固定手段２９は、木材等の適宜の強度を備えた材料により板状に形成される基材２９ａと、この基材の上面に取り付けられる摩擦体２９ｂとを有する。上記基材２９ａは一対の支柱１、１の双方の上端に跨がるようにして固定され、これにより一対の支柱１、１は、上部における間隔が保持される。このように固定手段２９を形成するこの変形例においては、上述した補強部材２２は省略される。
【００３６】
また、上記摩擦体２９ｂは布ヤスリであり、接着力の高い接着剤や止着子を利用することにより、基材２９ａへの固定強度が高められる。
【００３７】
したがってこの変形例においては、図７（ｂ）に示すように、棚装置が設置される室内の天井面３０に対して固定手段２９を圧接させることにより、支柱１を土台部２１と固定手段２９とによって強固に支持することができる。
【００３８】
なお、以上の変形例においては基材２９ａを支柱１の上端に固定していたが、布ヤスリを基材の２９ａの下面にも取り付ければ、支柱１に固定しなくとも足りる。
【００３９】
図８に本発明の他の実施の形態を示す。この実施の形態において、棚装置は単一の支柱１を備え、この支柱１は、より幅の広い板状に形成される。上記支柱１は、土台部２１の周縁部に幅広面８を沿わせて配置されることにより、この実施の形態においては横使いされる。
【００４０】
また、棚板２は、矩形板状に形成される板部３１と、この板部３１の基端部に取り付けられる連結具３２とを有する。連結具３２は、コ字形状をなし、例えば適宜の金属板材を折り曲げて形成される。この連結具３２は、コ字形状の開放端が向き合う姿勢で板部３１の基端面の両端部に配置される。また、連結部２６の板部３１側の内壁面には、布ヤスリ４が接着力の高い接着剤により研磨面を内側に向けて固定される。
【００４１】
したがってこの実施の形態においても、棚板２に物品を載せると布ヤスリ４が支柱１に圧接し、これにより棚板２が支柱１の所定高さ位置に保持される。また、棚板２を手で支えたり、あるいは物品を棚板２から取り出したりした上、棚板２を手前に引き寄せて布ヤスリ４と支柱１の圧接状態を解除すれば、棚板２を上下方向の不特定位置に移動させることもできる。
【符号の説明】
【００４２】
１  支柱
２  棚板
３  支柱挿通部
４  摩擦体
５  支柱受け部
６  棚板本体
７  押さえ片
８  幅広面
９  当接部
【図１】
2017195930.tif 000003
【図２】
2017195930.tif 000004
【図３】
2017195930.tif 000005
【図４】
2017195930.tif 000006
【図５】
2017195930.tif 000007
【図６】
2017195930.tif 000008
【図７】
2017195930.tif 000009
【図８】
2017195930.tif 000010